(57)【要約】【課題】地上デジタル放送を再生して視聴者に提供するにあたって、地上デジタル放送のチャンネルが切り替えられたときに、切り替え先のチャンネルの映像を表示するまでに要する時間を短縮する技術を提供する。【解決手段】地上デジタル放送の再生システム１に、所望の番組に対応したチャンネル周波数を設定するチャンネル設定部３００と、新たなチャンネル周波数が設定されたときに応じて動作モードを遷移モードに設定するモード設定部３０１と、動作モードが遷移モードである場合には、新たなチャンネル周波数に基づいて取得された映像データ３８０を取得したタイミングに応じて臨時表示タイミングを決定して当該映像データ３８０を表示する表示タイミング（表示タイミングデータ３１１）を設定するタイミング設定部３０２と、設定された表示タイミングで映像データ３８０を表示する表示部２１とを設ける。【選択図】図３
2010206257.tif 000002
【特許請求の範囲】
【請求項１】
地上デジタル放送の再生システムであって、
前記地上デジタル放送における所望の番組に対応したチャンネル周波数を設定するチャンネル設定手段と、
前記チャンネル設定手段により新たなチャンネル周波数が設定されたときに応じて動作モードを遷移モードに設定するモード設定手段と、
前記チャンネル設定手段により設定されたチャンネル周波数に基づいて放送データを取得するデータ取得手段と、
前記モード設定手段により設定された動作モードが遷移モードである場合には、前記データ取得手段により新たなチャンネル周波数に基づいて取得された放送データに含まれる映像データを前記データ取得手段が取得したタイミングに応じて臨時表示タイミングを決定して前記映像データを表示する表示タイミングを設定する一方で、前記モード設定手段により設定された動作モードが遷移モードでない場合には、前記データ取得手段により取得された放送データに含まれる時間情報に基づいて規定表示タイミングを決定して前記放送データに含まれる映像データを表示する表示タイミングを設定するタイミング設定手段と、
前記タイミング設定手段により設定された表示タイミングで、前記データ取得手段により取得された放送データに含まれる映像データを表示することにより、前記所望の番組の映像を表示する表示手段と、
を備えることを特徴とする再生システム。
【請求項２】
請求項１に記載の再生システムであって、
前記モード設定手段は、遷移モードに設定した後の最初の映像データが取得されたことに応じて、動作モードを通常モードに設定することを特徴とする再生システム。
【請求項３】
請求項１に記載の再生システムであって、
映像データの表示タイミングが臨時表示タイミングにより設定された場合において、前記表示タイミングと前記映像データの規定表示タイミングとの時間差を求める演算手段をさらに備え、
前記タイミング設定手段は、前記演算手段により求められた時間差に応じて、前記映像データの次に表示される映像データの臨時表示タイミングを決定することを特徴とする再生システム。
【請求項４】
請求項３に記載の再生システムであって、
前記モード設定手段は、前記演算手段により求められた時間差が閾値以下となったときに、動作モードを通常モードに設定することを特徴とする再生システム。
【請求項５】
請求項１ないし４のいずれかに記載の再生システムであって、
可搬性のある携帯型のシステムとして構成されていることを特徴とする再生システム。
【請求項６】
コンピュータによる実行が可能なプログラムであって、前記コンピュータによる前記プログラムの実行は、前記コンピュータを、
地上デジタル放送における所望の番組に対応したチャンネル周波数を設定するチャンネル設定手段と、
前記チャンネル設定手段により新たなチャンネル周波数が設定されたときに応じて動作モードを遷移モードに設定するモード設定手段と、
前記チャンネル設定手段により設定されたチャンネル周波数に基づいて放送データを取得するデータ取得手段と、
前記モード設定手段により設定された動作モードが遷移モードである場合には、前記データ取得手段により新たなチャンネル周波数に基づいて取得された放送データに含まれる映像データを前記データ取得手段が取得したタイミングに応じて臨時表示タイミングを決定して前記映像データを表示する表示タイミングを設定する一方で、前記モード設定手段により設定された動作モードが遷移モードでない場合には、前記データ取得手段により取得された放送データに含まれる時間情報に基づいて規定表示タイミングを決定して前記放送データに含まれる映像データを表示する表示タイミングを設定するタイミング設定手段と、
前記タイミング設定手段により設定された表示タイミングで、前記データ取得手段により取得された放送データに含まれる映像データを表示することにより、前記所望の番組の映像を表示する表示手段と、
を備えた地上デジタル放送を受信する再生システムとして機能させることを特徴とするプログラム。
【請求項７】
地上デジタル放送の再生方法であって、
(a) 前記地上デジタル放送における所望の番組に対応したチャンネル周波数を設定する工程と、
(b) 前記(a)工程において新たなチャンネル周波数が設定されたときに応じて動作モードを遷移モードに設定する工程と、
(c) 前記チャンネル周波数に基づいて放送データを取得する工程と、
(d) 前記動作モードが前記遷移モードであるか否かを判定する工程と、
(e) 前記遷移モードである場合に、新たなチャンネル周波数に基づいて取得された放送データに含まれる映像データを取得したタイミングに応じて臨時表示タイミングを決定して前記映像データを表示する表示タイミングを設定する工程と、
(f) 前記遷移モードではない場合に、取得された放送データに含まれる時間情報に基づいて規定表示タイミングを決定して前記取得された放送データに含まれる映像データを表示する表示タイミングを設定する工程と、
(g) 前記(e)工程または前記(f)工程のいずれかにおいて設定された表示タイミングで、取得された放送データに含まれる映像データを表示することにより、前記所望の番組の映像を表示する工程と、
を有することを特徴とする再生方法。
【発明の詳細な説明】
【技術分野】
【０００１】
本発明は、地上デジタル放送を再生して視聴者に提供する際に、地上デジタル放送のチャンネルが切り替えられたときに、切り替え先のチャンネルの映像を表示するまでに要する時間を短縮する技術に関する。
【背景技術】
【０００２】
地上デジタル放送では、１つのチャンネルの番組を表現するために必要なデータ量が比較的多く、再生機で受信した電波に基づいて当該データをデコードするのに比較的長時間を要するという問題がある。すなわち、所望のチャンネルに切り替えて、当該チャンネルの電波を再生機が受信するようにしてから、実際の映像の出力が開始されるまでにタイムラグ（待ち時間）が発生する。
【０００３】
そこで、チャンネルを切り替える際に、実際の映像が出力されるまでの間、予め準備してある映像を表示することによって、何も表示されない時間（視聴者が待たされていると感じる時間）を短縮する技術が提案されている。このような技術が、例えば、特許文献１や特許文献２に記載されている。
【先行技術文献】
【特許文献】
【０００４】
【特許文献１】特開２０００−０４１１９７号公報
【特許文献２】特開２００８−００５４２９号公報
【発明の概要】
【発明が解決しようとする課題】
【０００５】
ところが、上記技術では、再生機において、チャンネルが切り替えられたときに表示する映像を事前に記憶しておくためのリソース（記憶装置等）が必要になる。すなわち、リソースのためのコストアップという問題があった。
【０００６】
本発明は、上記課題に鑑みてなされたものであり、地上デジタル放送を再生して視聴者に提供するにあたって、地上デジタル放送のチャンネルが切り替えられたときに、切り替え先のチャンネルの映像を表示するまでに要する時間を短縮する技術を提供することを目的とする。
【課題を解決するための手段】
【０００７】
上記の課題を解決するため、請求項１の発明は、地上デジタル放送の再生システムであって、前記地上デジタル放送における所望の番組に対応したチャンネル周波数を設定するチャンネル設定手段と、前記チャンネル設定手段により新たなチャンネル周波数が設定されたときに応じて動作モードを遷移モードに設定するモード設定手段と、前記チャンネル設定手段により設定されたチャンネル周波数に基づいて放送データを取得するデータ取得手段と、前記モード設定手段により設定された動作モードが遷移モードである場合には、前記データ取得手段により新たなチャンネル周波数に基づいて取得された放送データに含まれる映像データを前記データ取得手段が取得したタイミングに応じて臨時表示タイミングを決定して前記映像データを表示する表示タイミングを設定する一方で、前記モード設定手段により設定された動作モードが遷移モードでない場合には、前記データ取得手段により取得された放送データに含まれる時間情報に基づいて規定表示タイミングを決定して前記放送データに含まれる映像データを表示する表示タイミングを設定するタイミング設定手段と、前記タイミング設定手段により設定された表示タイミングで、前記データ取得手段により取得された放送データに含まれる映像データを表示することにより、前記所望の番組の映像を表示する表示手段とを備えることを特徴とする。
【０００８】
また、請求項２の発明は、請求項１の発明に係る再生システムであって、前記モード設定手段は、遷移モードに設定した後の最初の映像データが取得されたことに応じて、動作モードを通常モードに設定することを特徴とする。
【０００９】
また、請求項３の発明は、請求項１の発明に係る再生システムであって、映像データの表示タイミングが臨時表示タイミングにより設定された場合において、前記表示タイミングと前記映像データの規定表示タイミングとの時間差を求める演算手段をさらに備え、前記タイミング設定手段は、前記演算手段により求められた時間差に応じて、前記映像データの次に表示される映像データの臨時表示タイミングを決定することを特徴とする。
【００１０】
また、請求項４の発明は、請求項３の発明に係る再生システムであって、前記モード設定手段は、前記演算手段により求められた時間差が閾値以下となったときに、動作モードを通常モードに設定することを特徴とする。
【００１１】
また、請求項５の発明は、請求項１ないし４のいずれかの発明に係る再生システムであって、可搬性のある携帯型のシステムとして構成されていることを特徴とする。
【００１２】
また、請求項６の発明は、コンピュータによる実行が可能なプログラムであって、前記コンピュータによる前記プログラムの実行は、前記コンピュータを、地上デジタル放送における所望の番組に対応したチャンネル周波数を設定するチャンネル設定手段と、前記チャンネル設定手段により新たなチャンネル周波数が設定されたときに応じて動作モードを遷移モードに設定するモード設定手段と、前記チャンネル設定手段により設定されたチャンネル周波数に基づいて放送データを取得するデータ取得手段と、前記モード設定手段により設定された動作モードが遷移モードである場合には、前記データ取得手段により新たなチャンネル周波数に基づいて取得された放送データに含まれる映像データを前記データ取得手段が取得したタイミングに応じて臨時表示タイミングを決定して前記映像データを表示する表示タイミングを設定する一方で、前記モード設定手段により設定された動作モードが遷移モードでない場合には、前記データ取得手段により取得された放送データに含まれる時間情報に基づいて規定表示タイミングを決定して前記放送データに含まれる映像データを表示する表示タイミングを設定するタイミング設定手段と、前記タイミング設定手段により設定された表示タイミングで、前記データ取得手段により取得された放送データに含まれる映像データを表示することにより、前記所望の番組の映像を表示する表示手段とを備えた地上デジタル放送を受信する再生システムとして機能させることを特徴とする。
【００１３】
また、請求項７の発明は、地上デジタル放送の再生方法であって、(a)前記地上デジタル放送における所望の番組に対応したチャンネル周波数を設定する工程と、(b)前記(a)工程において新たなチャンネル周波数が設定されたときに応じて動作モードを遷移モードに設定する工程と、(c)前記チャンネル周波数に基づいて放送データを取得する工程と、(d)前記動作モードが前記遷移モードであるか否かを判定する工程と、(e)前記遷移モードである場合に、新たなチャンネル周波数に基づいて取得された放送データに含まれる映像データを取得したタイミングに応じて臨時表示タイミングを決定して前記映像データを表示する表示タイミングを設定する工程と、(f)前記遷移モードではない場合に、取得された放送データに含まれる時間情報に基づいて規定表示タイミングを決定して前記取得された放送データに含まれる映像データを表示する表示タイミングを設定する工程と、(g)前記(e)工程または前記(f)工程のいずれかにおいて設定された表示タイミングで、取得された放送データに含まれる映像データを表示することにより、前記所望の番組の映像を表示する工程とを有することを特徴とする。
【発明の効果】
【００１４】
請求項１ないし請求項６に記載の発明は、地上デジタル放送における所望の番組に対応したチャンネル周波数を設定するチャンネル設定手段と、チャンネル設定手段により新たなチャンネル周波数が設定されたときに応じて動作モードを遷移モードに設定するモード設定手段と、モード設定手段により設定された動作モードが遷移モードである場合には、新たなチャンネル周波数に基づいて取得された放送データに含まれる映像データを取得したタイミングに応じて臨時表示タイミングを決定して当該映像データを表示する表示タイミングを設定する一方で、モード設定手段により設定された動作モードが遷移モードでない場合には、取得された放送データに含まれる時間情報に基づいて規定表示タイミングを決定して当該放送データに含まれる映像データを表示する表示タイミングを設定するタイミング設定手段と、タイミング設定手段により設定された表示タイミングで、取得された放送データに含まれる映像データを表示することにより、所望の番組の映像を表示する表示手段とを備えることにより、コストを抑制しつつ、チャンネル切り替え時において、切り替え先のチャンネルの映像が表示されるまでの時間を短縮できる。
【００１５】
請求項３に記載の発明は、映像データの表示タイミングが臨時表示タイミングにより設定された場合において、表示タイミングと当該映像データの規定表示タイミングとの時間差を求める演算手段をさらに備え、演算手段により求められた時間差に応じて、当該映像データの次に表示される映像データの臨時表示タイミングを決定することにより、例えば、本来の表示タイミングとの誤差を縮小しつつ表示することができる。したがって、本来の表示タイミングになったときの視聴者の違和感を軽減できる。
【００１６】
請求項５に記載の発明は、可搬性のある携帯型のシステムとして構成されていることにより、据え置き型のシステムに比べて効果が顕著である。
【００１７】
請求項７に記載の発明は、新たなチャンネル周波数が設定されたときに応じて動作モードを遷移モードに設定する工程と、動作モードが遷移モードであるか否かを判定する工程と、遷移モードである場合に、新たなチャンネル周波数に基づいて取得された放送データに含まれる映像データを取得したタイミングに応じて臨時表示タイミングを決定して当該映像データを表示する表示タイミングを設定する工程とを有することにより、コストを抑制しつつ、チャンネル切り替え時において、切り換え先のチャンネルの映像が表示されるまでの時間を短縮できる。
【図面の簡単な説明】
【００１８】
【図１】本発明に係る再生システムの構成を示す図である。
【図２】再生システムのブロック図である。
【図３】第１の実施の形態における再生システムの機能ブロックをデータの流れとともに示す図である。
【図４】第１の実施の形態における再生方法を示す流れ図である。
【図５】第１の実施の形態における再生方法を示す流れ図である。
【図６】従来の技術において、切り替え先のチャンネルの番組の映像が表示されるタイミングを概念的に示す図である。
【図７】第１の実施の形態における再生システムにおいて、切り替え先のチャンネルの番組の映像が表示されるタイミングを概念的に示す図である。
【図８】第２の実施の形態における再生システムの機能ブロックをデータの流れとともに示す図である。
【図９】第２の実施の形態における再生方法を示す流れ図である。
【図１０】第２の実施の形態における再生方法を示す流れ図である。
【図１１】第２の実施の形態における設定処理を示す流れ図である。
【図１２】第２の実施の形態における再生システムにおいて、切り替え先のチャンネルの番組の映像が表示されるタイミングを概念的に示す図である。
【発明を実施するための形態】
【００１９】
以下、本発明の好適な実施の形態について、添付の図面を参照しつつ、詳細に説明する。
【００２０】
＜１．  第１の実施の形態＞
図１は、本発明に係る再生システム１の構成を示す図である。また、図２は、再生システム１のブロック図である。
【００２１】
再生システム１は、図１に示すように、本体部２および本体部２に着脱自在に装着されるモジュール３から構成されており、放送局９から送信された地上デジタル放送の電波を受信して再生することにより、地上デジタル放送の番組を視聴者（操作者）に提供するシステムとして構成されている。なお、図１では、１つの放送局９のみを図示しているが、放送局９の数はこれに限定されるものではない。
【００２２】
本体部２は、操作者が情報を入力するための入力部２０、主に画像（映像）を表示する表示部２１、および、音声を発する音声再生部２２を備えている。また、本体部２の内部には、再生システム１の各構成を制御する機能を有する制御部２３およびモジュール３を着脱自在に取り付けるためのスロット部２４が設けられている。
【００２３】
なお、図２に示す、チャンネル情報２８は、地上デジタル放送における所望の番組（地上デジタル放送において提供されている１つ以上の番組の中で、操作者が視聴したいと望むいずれか１つの番組）に対応したチャンネル番号を示す情報である。
【００２４】
入力部２０は、主にボタンやキーによって構成されている。操作者は、入力部２０を操作することによって、再生システム１に所望の情報を入力することができる。特に、本実施の形態における再生システム１では、入力部２０からチャンネル番号が入力され、チャンネル情報２８が作成される。
【００２５】
なお、入力部２０は、ボタンやキーに限定されるものではなく、例えば、本体部２に外部接続されるジョイスティックやマウス等を含んでいてもよいし、表示部２１の表面に接触することによって情報を入力するタッチパネルであってもよい。また、入力される情報は、再生システム１に対する指示情報に限定されるものではなく、本体部２は音声情報を入力するためのマイクや画像情報を入力するためのカメラを入力部２０として備えていてもよい。
【００２６】
表示部２１は一般的な液晶パネルとして構成されており、主に、地上デジタル放送における番組の映像が再生される（映像データを表示する）。なお、図示は省略するが、表示部２１には再生システム１の動作状況等を表示するランプやＬＥＤ等も含まれる。すなわち、表示部２１は、再生システム１において、操作者に何らかの情報を視覚的に提供する機能を有するハードウェアである。
【００２７】
音声再生部２２は、制御部２３からの制御信号に応じて動作し、音声信号に基づいて音声を生成する装置である。特に、本実施の形態では、音声再生部２２は、地上デジタル放送における番組の音声を再生する。
【００２８】
なお、本実施の形態では、音声再生部２２は本体部２に内臓されたスピーカとして説明するが、例えば、プラグを介して本体部２に接続されるイヤホンを音声再生部２２として採用してもよいし、これらを併用してもよい。また、詳細は省略するが、再生システム１は、番組の音声については、従来の技術と同様に扱うものとする。
【００２９】
制御部２３は、図２に示すように、各種データの演算を実行するＣＰＵ２５と、プログラム２７やチャンネル情報２８等の各種データを記憶する記憶装置２６とから主に構成されている。これにより、制御部２３は、記憶装置２６を適宜使用しつつ、プログラム２７を実行して動作するコンピュータとしての機能を有しており、再生システム１の各構成を制御する。また、制御部２３は、スロット部２４およびインタフェース部３５を介して、モジュール３とデータ通信を行う機能も有している。
【００３０】
スロット部２４は、本体部２の内部に設けられており、モジュール３のインタフェース部３５と物理的および電気的に接続される。このように、スロット部２４にモジュール３が装着されることによって、本体部２とモジュール３との間でデータの送受信が可能となるとともに、本体部２からモジュール３に向けての電力供給が可能となる。
【００３１】
以上の構成により、本体部２は一般的なコンピュータとしての機能を備えた携帯端末装置として構成されており、本体部２にモジュール３を取り付けた構造の再生システム１も携帯型のシステムとして構成されている。
【００３２】
モジュール３は、ＣＰＵ３０、記憶装置３１、アンテナ３２、チューナー３３、ＯＦＤＭ復調器３４およびインタフェース部３５を備えている。
【００３３】
ＣＰＵ３０は、プログラム３６を実行することにより、モジュール３の各構成を制御するとともに、インタフェース部３５およびスロット部２４を介して本体部２のＣＰＵ２５との間でデータ通信を行う。すなわち、モジュール３も本体部２と同様にコンピュータとしての機能を備えているが、ＣＰＵ３０の機能の詳細については後述する。
【００３４】
記憶装置３１は、ＣＰＵ３０によって実行されるプログラム３６や周波数データ３７、放送データ３８等の各種データを記憶する装置である。
【００３５】
なお、記憶装置３１に記憶されているプログラム３６は、その一部または全部が本体部２にロードされて制御部２３のＣＰＵ２５によって実行されてもよい。また、周波数データ３７とは、再生システム１が再生する番組に対応したチャンネル周波数を示すデータであって、本体部２において作成されるチャンネル情報２８に基づいてＣＰＵ３０によって作成されるデータである。また、放送データ３８とは、地上デジタル放送において放送される電波を受信することにより、受信した電波から取り出されるデータであって、１つの番組を再生するために必要なデータの総称である。放送データ３８には、後述する映像データ３８０や時間情報３８１の他に、番組の音声に関するデータや番組のジャンル等に関するテキストデータ等が含まれる。
【００３６】
アンテナ３２は、所望の信号を含む電波を受信して受信信号を取得する機能を有している。また、アンテナ３２によって取得された受信信号はチューナー３３に入力される。
【００３７】
チューナー３３は、ＣＰＵ３０によって設定される周波数（周波数データ３７）に応じて、アンテナ３２によって取得された受信信号から所望の信号（所望の番組を表現した信号）を取り出す機能を有している。チューナー３３によって取り出された信号は、ＯＦＤＭ復調器３４に伝達される。
【００３８】
ＯＦＤＭ復調器３４は、チューナー３３から入力される信号を復調して、ＣＰＵ３０に向けてデジタルデータを出力する。ＯＦＤＭ復調器３４から伝達されたデジタルデータは、ＣＰＵ３０によって復号化（デコード）されて放送データ３８として記憶装置３１に格納される。なお、ＯＦＤＭ復調器３４は、復調したデジタルデータのビットエラーレートやキャリアノイズ比等を計測する機能も有している。
【００３９】
このように、アンテナ３２、チューナー３３、ＯＦＤＭ復調器３４およびＣＰＵ３０は、ＣＰＵ３０により設定される周波数データ３７に基づいて放送データ３８を取得するデータ取得手段として機能する。
【００４０】
インタフェース部３５は、先述のように、本体部２のスロット部２４に挿入されることにより、スロット部２４に接続される。これによってモジュール３は、本体部２に対して着脱自在に取り付けられる構造となっている。なお、再生システム１は、図１に示すように、モジュール３が本体部２に装着された状態においても、可搬性のある携帯型のシステムとして構成されている。
【００４１】
図３は、第１の実施の形態における再生システム１の機能ブロックをデータの流れとともに示す図である。図３に示すチャンネル設定部３００、モード設定部３０１、タイミング設定部３０２および再生制御部３０３は、主にＣＰＵ３０が記憶装置３１に記憶されているプログラム３６を実行することにより実現される機能ブロックである。
【００４２】
なお、モジュール３に電源が投入されたときの周波数データ３７の初期値は、任意のチャンネル番号に対応した周波数を示しているものとする。
【００４３】
チャンネル設定部３００は、地上デジタル放送における所望の番組に対応したチャンネル周波数を設定する。より詳しくは、本体部２において新たなチャンネル情報２８が作成されたときに、記憶装置２６から伝達される当該新たなチャンネル情報２８を取得して、当該新たなチャンネル情報２８に示されるチャンネル番号に対応した周波数を、新たなチャンネル周波数として設定し、周波数データ３７として記憶装置３１に格納する。これにより、操作者がチャンネルを切り替える操作を行う度に、チャンネル設定部３００は、切り替え先のチャンネルに応じて周波数データ３７を更新する。
【００４４】
また、チャンネル設定部３００は、周波数データ３７を更新したタイミングをモード設定部３０１に伝達するとともに、周波数データ３７に示される周波数をチューナー３３が受信する電波の周波数として設定する機能を有している。
【００４５】
モード設定部３０１は、チャンネル設定部３００により新たなチャンネル周波数が設定されたとき（チャンネル設定部３００から周波数データ３７を更新したことを示す信号を受け取ったとき）に応じて、動作モードを遷移モードに設定する。モード設定部３０１によって設定された動作モードは、モードデータ３１０に格納され、以後、後述するタイミング設定部３０２によって参照される。
【００４６】
また、第１の実施の形態におけるモード設定部３０１は、動作モードを遷移モードに設定した後の最初の映像データ３８０が取得されたとき（後述する取得完了信号を再生制御部３０３から受け取ったとき）に、動作モードを通常モードに設定する。より詳しくは、モード設定部３０１は、再生制御部３０３が本体部２の表示部２１に映像データ３８０を表示させるときに、そのタイミングを再生制御部３０３から取得して、モードデータ３１０を通常モードに書き替える。
【００４７】
さらに、タイミング設定部３０２は、映像データ３８０を表示するタイミング（表示タイミング）を設定し、表示タイミングデータ３１１として記憶装置３１に格納する機能を有している。
【００４８】
通常、地上デジタル放送では、ＯＦＤＭ復調器により復調されたデジタルデータをデコードしたデータ（本実施の形態における放送データ３８に相当するデータ）に含まれるＰＣＲ（Program Clock Reference）とＰＴＳ（Presentation Time Stamp）とに基づいて、映像を表示するタイミングが決定されている。より詳しくは、ＰＣＲを取得したときに当該ＰＣＲに応じてタイマーを起動し、映像に関するデータの取得（デコード）を完了したときには、起動しているタイマーの値が当該データとともに取得したＰＴＳの値となるまで待ってから当該映像を出力するように規格されている。このような地上デジタル放送の規格に従って決定される表示タイミングを「規定表示タイミング」と称する。
【００４９】
すなわち、映像に関するデータはデコードに要する時間を想定して、予め充分に早い時刻に受信されるように放送されている。したがって、視聴者によってチャンネルが切り替えられてから最初の映像が再生されるまでの待ち時間には、デコードに要する時間（以下、「デコード時間」と称する）のみならず、タイマーの値がＰＴＳの値になるまで出力を待つ時間（以下、「待機時間」と称する）も含まれている。
【００５０】
再生システム１のタイミング設定部３０２は、モードデータ３１０に示される動作モードが遷移モードである場合には、映像データ３８０を取得したタイミングに応じて臨時表示タイミングを決定し、決定した臨時表示タイミングを、当該映像データ３８０を表示する表示タイミングとして設定する。以下では、規定表示タイミングではない表示タイミングを臨時表示タイミングと称する。
【００５１】
これにより、再生システム１では、映像データ３８０のデコードが完了した時点で、当該映像データ３８０が表示部２１に表示されるので、従来の技術に比べて待機時間がなく、短時間で最初の映像が表示される。なお、図示の便宜上、タイミング設定部３０２は、決定した臨時表示タイミングに応じて表示タイミングを設定し、表示タイミングデータ３１１を作成するとして説明する。しかし、実際には、映像データ３８０の取得が完了したタイミングが臨時表示タイミングであり、この臨時表示タイミングでタイミング設定部３０２は再生制御部３０３に当該映像データ３８０を表示させるべきタイミング（表示タイミング）になったことを伝達する。
【００５２】
一方、タイミング設定部３０２は、モードデータ３１０に示される動作モードが遷移モードでない場合には、放送データ３８に含まれる時間情報３８１（ＰＣＲおよびＰＴＳ）に基づいて規定表示タイミングを決定し、決定した規定表示タイミングを、当該放送データ３８に含まれる映像データ３８０を表示する表示タイミングとして設定する。
【００５３】
再生制御部３０３は、表示タイミングデータ３１１を参照することにより、放送データ３８に含まれる映像データ３８０を表示させるタイミングになったときに、当該映像データ３８０を本体部２に転送することにより、当該映像データ３８０を表示部２１に表示させる機能を有する。より詳細には、転送された映像データ３８０を受け取った本体部２のＣＰＵ２５が、表示部２１を制御することにより、当該映像データ３８０を表示部２１に表示させる。
【００５４】
なお、ここでは図示を省略しているが、再生制御部３０３は、所望の番組を本体部２において再生するために必要な全てのデータ（例えば、音声データや番組に関するデータ等を含む放送データ３８）を本体部２に向けて転送する機能も有している。
【００５５】
また、再生制御部３０３は、モード設定部３０１が動作モードを遷移モードに設定した後の最初の映像データ３８０が取得されたときに、その旨を示す信号（取得完了信号）をモード設定部３０１に伝達する。
【００５６】
以上が、再生システム１の構成および機能の説明である。次に、再生システム１を用いて地上デジタル放送の電波を受信する受信方法について説明する。
【００５７】
図４および図５は、第１の実施の形態における再生方法を示す流れ図である。まず、本体部２にモジュール３が装着され、再生システム１の電源が投入された状態となると、チャンネル設定部３００が、周波数データ３７に示されるチャンネル周波数に応じてチューナー３３を制御する（ステップＳ１１）。これにより、チューナー３３が取り出す信号はチャンネル周波数の信号となり、所望の番組の信号が取り出される。なお、電源投入後、最初にステップＳ１１が実行されるときの周波数データ３７の値は、例えば、以前、最後に視聴されたチャンネル周波数の値である。
【００５８】
次に、チャンネル設定部３００は、チャンネル周波数を新たに設定したことをモード設定部３０１に伝達する。これにより、モード設定部３０１がモードデータ３１０を更新し、動作モードを遷移モードに設定する（ステップＳ１２）。
【００５９】
また、ステップＳ１１が実行されたことにより、再生システム１は、ステップＳ１１において設定されたチャンネル周波数に対応した放送データ３８の取得を開始する（ステップＳ１３）。ステップＳ１３では、チューナー３３が、チャンネル設定部３００によって設定されたチャンネル周波数に応じて、アンテナ３２が受信した受信信号から所望の信号を取り出しつつＯＦＤＭ復調器３４に出力する。そして、ＯＦＤＭ復調器３４は、チューナー３３から入力された信号をデジタルデータに復調しつつＣＰＵ３０に伝達する。さらに、ＣＰＵ３０がＯＦＤＭ復調器３４から入力されたデジタルデータをデコードして、所望の番組を表現したデータを作成することにより、放送データ３８が取得される。
【００６０】
なお、放送データ３８の取得が開始されると、これに伴って時間情報３８１（ＰＣＲおよびＰＴＳ）も、順次、取得される。ＣＰＵ３０は、時間情報３８１のうちのＰＣＲが取得された時点で、取得したＰＣＲに従って図示しないタイマーを起動させる。
【００６１】
ステップＳ１３が実行されると、再生システム１は、放送データ３８を取得しつつ待機する状態（以下、「待機状態」と称する）となる。待機状態では、動作モードが遷移モードであるか否か（ステップＳ１４）、チャンネル情報が新たに入力されたか否か（ステップＳ３１）、および、地上デジタル放送の視聴を終了するか否か（ステップＳ３３）を監視する。
【００６２】
待機状態において、ステップＳ１４が実行されると、タイミング設定部３０２がモードデータ３１０を参照して、動作モードが遷移モードであるか否かを判定する。
【００６３】
動作モードが遷移モードである場合（ステップＳ１４においてＹｅｓの場合）には、タイミング設定部３０２は、ステップＳ１２が実行されることにより動作モードが遷移モードに切り替えられてから、最初の映像データ３８０の取得が完了しているか否かを判定する（ステップＳ１５）。最初の映像データ３８０とは、切り替え先のチャンネルにおいて放送されている番組の映像を表現した一連の動画像データにおける１フレーム分のデータであって、最初にデコードが完了するデータである。言い換えれば、表示部２１に映像を表示するために必要な最低限のデータである。
【００６４】
最初の映像データ３８０の取得が完了していない場合、再生システム１は待機状態に戻る。これにより、放送データ３８の取得が継続されるため、映像データ３８０の取得も継続される。すなわち、ステップＳ１２が実行されてからステップＳ１５においてＹｅｓと判定されるまでの時間は、先述の「デコード時間」に相当する。
【００６５】
最初の映像データ３８０の取得が完了している場合、タイミング設定部３０２は、取得が完了したタイミングを臨時表示タイミングと決定し、当該臨時表示タイミングに応じて表示タイミングを設定し（ステップＳ１６）、表示タイミングデータ３１１を作成する。このときの表示タイミングデータ３１１の値は、ウエイトタイムが「０」であることを示す値である。したがって、再生制御部３０３は表示タイミングデータ３１１を参照したタイミングで、取得を完了した映像データ３８０を表示部２１に表示させるように本体部２に転送する。これにより、本体部２のＣＰＵ２５が当該映像データ３８０を表示部２１に表示させる（ステップＳ１７）。
【００６６】
なお、現実には、ＣＰＵ３０は、ステップＳ１２を実行した後、最初の１フレーム分の映像データ３８０のデコードを完了したタイミングで、先述のタイマーの値にかかわらず、当該映像データ３８０を本体部２に転送する。そして、本体部２のＣＰＵ２５がモジュール３から転送された映像データ３８０に基づいて表示部２１を制御することにより、当該映像データ３８０が表示部２１に表示される。
【００６７】
このように、再生システム１は、起動したタイマーの値が映像データ３８０に対応した時間情報３８１（ＰＴＳ）の値となるまで待機することなく、当該映像データ３８０を表示する。すなわち、「待機時間」を設けずに最初の映像データ３８０を表示するため、所望の番組の最初の映像が表示されるまでの待ち時間を短縮できる。また、再生システム１は、このような処理を実現するための特別のリソースを必要としない。さらに、このとき表示される映像は、ほぼリアルタイムで放送されている映像であり、例えば、過去の映像ではない。したがって、当該映像によって、現在の電波の受信状況（受信感度等）も確認することができる。
【００６８】
最初の映像を表示すると、再生制御部３０３からの取得完了信号に応じてモード設定部３０１が動作モードを通常モードに設定し（ステップＳ１８）、待機状態に戻る。これにより、以後、ステップＳ１２が再度実行されない限り、ステップＳ１４が実行されるときには「Ｎｏ」と判定される。
【００６９】
ステップＳ１４においてＮｏと判定された場合（動作モードが遷移モードではない場合）、タイミング設定部３０２は、新たな映像データ３８０の取得が完了しているか否かを判定し（ステップＳ１９）、新たな映像データ３８０の取得が完了している場合には当該映像データ３８０に対応する時間情報３８１（ＰＴＳ）に基づいて規定表示タイミングを決定して表示タイミングを設定する（ステップＳ２０）。これにより、新たに取得された映像データ３８０に対応するＰＴＳの値が表示タイミングデータ３１１に格納される。
【００７０】
一方、新たな映像データ３８０の取得が完了していない場合（映像データ３８０についてのデコード時間中）、タイミング設定部３０２は表示タイミングを新たに設定する必要がないのでステップＳ２０をスキップする。
【００７１】
次に、再生制御部３０３は、起動されたタイマーの値と表示タイミングデータ３１１の値とが一致するか否かを判定することにより、取得されている映像データ３８０についての表示タイミングが到来したか否かを判定する（ステップＳ２１）。
【００７２】
表示タイミングが到来している場合、再生制御部３０３は該当する映像データ３８０を本体部２に転送する。これにより、本体部２のＣＰＵ２５が当該映像データ３８０を表示部２１に表示させる（ステップＳ２２）。
【００７３】
なお、映像データ３８０のデコードが完了し、ステップＳ２０によって表示タイミングが設定されてから、ステップＳ２２が実行されて当該映像データ３８０の表示が行われるまでの時間は、先述の「待機時間」に相当する。すなわち、再生システム１は、動作モードが遷移モード以外のモード（通常モード）のときには、地上デジタル放送の規格に従った処理を実行する。これにより、通常モードのときには、再生中の番組における映像と音声との整合が確保され、想定されているとおりに番組が提供される。
【００７４】
一方、ステップＳ２１においてＮｏと判定されると、再生システム１はステップＳ２２をスキップし、待機状態に戻る。すなわち、新しい放送データ３８（映像データ３８０および時間情報３８１）を取得しつつ、既に取得した映像データ３８０については表示タイミングが到来するまで待機する状態となる。
【００７５】
待機状態において、入力部２０が操作され、操作者によってチャンネル情報２８が入力されると、ＣＰＵ２５がステップＳ３１においてＹｅｓと判定し、入力された新たなチャンネル情報２８をモジュール３に転送する。このように操作者が視聴したいと望むチャンネル番号を入力して、現在視聴している番組を切り替えたときに、切り替え先のチャンネル番号がチャンネル情報２８としてモジュール３に転送される。
【００７６】
モジュール３にチャンネル情報２８が転送されると、チャンネル設定部３００が、当該チャンネル情報２８に応じて新たなチャンネル周波数を設定し（ステップＳ３２）、周波数データ３７を更新する。そして、再生システム１は、ステップＳ１１に戻って処理を繰り返す。これによって、再びステップＳ１２が実行され、その後、最初の映像データ３８０の取得が完了したときに応じてステップＳ１７が実行される。したがって、切り替え先のチャンネルにおいて提供されている番組の映像が表示されるまでの待ち時間は短縮される。
【００７７】
図６は、従来の技術において、切り替え先のチャンネルの番組の映像が表示されるタイミングを概念的に示す図である。なお、詳細な説明は省略するが、図６に示すＰＭＴは、地上デジタル放送において定義される「Program Map Table」の略である。
【００７８】
図６に示すように、チャンネルが切り替えられると、切り替え先のチャンネルについてＰＭＴおよびＰＣＲが取得され、ＰＣＲが取得されたときにタイマーが起動される（このときのタイマー値を「０」とする）。
【００７９】
次に、映像に関するデータやＰＴＳ等が取得され、デコードされる。図６に示す例では、最初の映像に関するデータのデコードはタイマー値が「１１」を超えたあたりで完了している。しかしながら、取得されたＰＴＳの値が「２０」であるため、規定表示タイミングはタイマーの値が「２０」になるタイミングであり、それまでは映像が出力されることはなく、最初の映像について待機時間が生じている。すなわち、ここに示す例では、チャンネルが切り替えられてから、タイマー値が「２０」となるまで、切り換え先の映像は表示されない。
【００８０】
図７は、第１の実施の形態における再生システム１において、切り替え先のチャンネルの番組の映像が表示されるタイミングを概念的に示す図である。
【００８１】
図７に示すように、再生システム１においても、デコードが完了するのはタイマーの値が「１１」を超えたあたりであるが、再生システム１は最初の映像についてはタイマーの値にかかわらず、デコードが完了したときに、直ちに表示させる。したがって、再生システム１では、切り替え先のチャンネルについての最初の映像が表示されるのは、タイマーの値が「１２」のときである。
【００８２】
したがって、図６に示す例と比較すれば、再生システム１は、タイマーの値が「８」だけ早い段階で、最初の映像を表示できることがわかる。
【００８３】
地上デジタル放送の提供が開始されたころは、復調されたデジタルデータをデコードする装置（本実施の形態におけるＣＰＵ３０に相当する装置）の処理能力が低く、デコードにかなりの時間を要したという事情がある。現状の地上デジタル放送においても、これら能力の低い装置の使用を担保するために、ＰＴＳの値は充分に大きく設定されており、今後も変更されないと考えられる。
【００８４】
したがって、従来の技術では、装置の処理能力が向上し、これによってデコード時間が短縮されたとしても、世の中に存在する最も能力の低い装置にあわせて、その分の待機時間が長くなってしまい、結果として待ち時間が短縮されないという問題がある。すなわち、従来の技術は、ハードウェアの能力向上の恩恵にあずかることのできないシステムとなっている。
【００８５】
これに対して、再生システム１は、チャンネルが切り替えられた後の最初の映像については、デコードが完了したときに表示させることにより、単に、従来の技術に比べて早く所望の番組の映像が表示されるだけではなく、能力の高い装置をＣＰＵ３０として採用すれば、それに応じて、さらに早く当該映像を提供できるようになるという効果がある。
【００８６】
なお、実験では、再生システム１は、従来の技術に比べて、待ち時間を約１秒程度（もちろん条件等により変動する）短縮することができた。１秒と言えば、人間が充分に感知できる時間であり、実験結果は本発明の効果を視聴者が体感できるレベルであることを示している。
【００８７】
待機状態において、地上デジタル放送の視聴を終了するための指示が与えられた場合、再生システム１はステップＳ３３においてＹｅｓと判定し、放送データ３８の取得を停止して（ステップＳ３４）、処理を終了する。
【００８８】
以上のように、第１の実施の形態における再生システム１は、地上デジタル放送における所望の番組に対応したチャンネル周波数を設定するチャンネル設定部３００と、チャンネル設定部３００により新たなチャンネル周波数が設定されたときに応じて動作モードを遷移モードに設定するモード設定部３０１と、チャンネル設定部３００により設定されたチャンネル周波数に基づいて放送データ３８を取得するデータ取得手段（アンテナ３２、チューナー３３、ＯＦＤＭ復調器３４およびＣＰＵ３０）と、モード設定部３０１により設定された動作モードが遷移モードである場合には、新たなチャンネル周波数に基づいて取得された放送データ３８に含まれる映像データ３８０を取得したタイミングに応じて臨時表示タイミングを決定して当該映像データ３８０を表示する表示タイミングを設定する一方で、モード設定部３０１により設定された動作モードが遷移モードでない場合には、取得された放送データ３８に含まれる時間情報３８１（ＰＣＲ，ＰＴＳ）に基づいて規定表示タイミングを決定して当該放送データ３８に含まれる映像データ３８０を表示する表示タイミングを設定するタイミング設定部３０２と、タイミング設定部３０２により設定された表示タイミングで、前記取得された放送データ３８に含まれる映像データ３８０を表示することにより、所望の番組の映像を表示する表示部２１とを備える。したがって、コストを抑制しつつ、チャンネル切り替え時において、切り替え先のチャンネルの映像が表示されるまでの待ち時間を短縮できる。
【００８９】
なお、再生システム１のような携帯型のシステムは、地上デジタル放送の電波の受信状態が随時変化するため、所望の番組にチャンネルを切り替えたとしても、受信しようとした電波（所望の番組の電波）が受信できないおそれがある。したがって、携帯型の再生システム１の操作者は、切り替えた先のチャンネルの番組が受信可能であるかどうかの確認を短時間で行いたいと望むものである。すなわち、携帯型のシステムは、据え置き型のシステムに比べて、映像表示までの待ち時間の発生による弊害が大きく、再生システム１のように当該待ち時間を短縮できる効果は大きいといえる。
【００９０】
また、携帯型のシステムは、据え置き型のシステムに比べて、システムに取り込めるリソースが制限されるという事情がある。したがって、本実施の形態における再生システム１のように、特別のリソースを必要とせずに、当該待ち時間を短縮できることの効果はコスト以外の面（例えばシステムのサイズや重量等）でも大きいといえる。
【００９１】
＜２．  第２の実施の形態＞
第１の実施の形態では、チャンネルが切り替えられてから、最初の映像を表示するまでの間、動作モードを遷移モードに設定すると説明した。したがって、第１の実施の形態における再生システム１では、ＰＣＲに従って起動されるタイマーの値およびＰＴＳの値にかかわらず、デコードが完了したタイミングに応じて表示されるのは、最初の映像のみである。言い換えれば、臨時表示タイミングにより表示タイミングが設定される映像データ３８０は、最初にデコードが完了する１フレーム分の映像データ３８０のみである。しかしながら、動作モードを遷移モードから通常モードに切り替えるタイミングは、これに限定されるものではない。
【００９２】
図８は、第２の実施の形態における再生システム１ａの機能ブロックをデータの流れとともに示す図である。図８に示すチャンネル設定部３００、モード設定部３０４、タイミング設定部３０５、再生制御部３０６および演算部３０７は、ＣＰＵ３０がプログラム３６を実行することにより実現される機能ブロックである。
【００９３】
第２の実施の形態における再生システム１ａは、モード設定部３０１、タイミング設定部３０２および再生制御部３０３の代わりに、モード設定部３０４、タイミング設定部３０５および再生制御部３０６をそれぞれ備えている点と、演算部３０７を備えている点が主に再生システム１と異なっている。一方、再生システム１ａのハードウェア構成は、再生システム１と同様である。以下の説明では、再生システム１と同様の構成については同様の符号を付し、適宜、説明を省略する。
【００９４】
モード設定部３０４は、取得完了信号に応じてモードデータ３１０を通常モードに書き替えるのではなく、後述する時間差データ３１２を参照することによってモードデータ３１０を通常モードに書き替える。より詳しくは、図示しない閾値と時間差データ３１２の値（時間差）とを比較して、時間差が閾値以下となったときに、動作モードを通常モードに設定し、モードデータ３１０を更新する。
【００９５】
タイミング設定部３０５は、臨時表示タイミングにより表示タイミングデータ３１１を設定した場合（遷移モードにおいて表示タイミングデータ３１１を設定した場合）、当該臨時表示タイミングを演算部３０７に伝達する。
【００９６】
また、タイミング設定部３０５は、動作モードにかかわらず、全ての映像データ３８０について時間情報３８１に基づいて規定表示タイミングを求める。そして、少なくとも動作モードが遷移モードのときには、求めた規定表示タイミングを演算部３０７に伝達する。なお、第２の実施の形態におけるタイミング設定部３０５は、第１の実施の形態におけるタイミング設定部３０２と同様に、動作モードが通常モードである場合には、当該規定表示タイミングを表示タイミングデータ３１１とする。
【００９７】
さらに、タイミング設定部３０５は、遷移モードにおいて、最初の映像データ３８０以外の映像データ３８０の表示タイミング（臨時表示タイミング）を、時間差データ３１２に応じて設定する（詳細は後述する）。
【００９８】
再生制御部３０６は、取得完了信号を生成することがない以外は、第１の実施の形態における再生制御部３０３と同様の機能を有する。
【００９９】
演算部３０７は、映像データ３８０の表示タイミングが臨時表示タイミングにより設定された場合において、当該表示タイミング（臨時表示タイミング）と当該映像データ３８０の規定表示タイミングとをタイミング設定部３０５から受け取り、これらの時間差を求めて、時間差データ３１２を作成する。なお、時間差データ３１２の値は、動作モードが遷移モードから通常モードに切り替えられたときに、演算部３０７によって、初期化（「０」）されるものとする。
【０１００】
以上が第２の実施の形態における再生システム１ａの構成および機能の説明である。次に、再生システム１ａを用いて実現される地上デジタル放送の再生方法について説明する。
【０１０１】
図９および図１０は、第２の実施の形態における再生方法を示す流れ図である。なお、図９に示すステップＳ４１ないしＳ４４、および、ステップＳ４９ないしＳ５２の各工程は、第１の実施の形態において説明した図４におけるステップＳ１１ないしＳ１４、および、ステップＳ１９ないしＳ２２と同様の工程であるから、説明を省略する。また、図１０に示すステップＳ６１ないしＳ６４の各工程は、第１の実施の形態において説明した図５におけるステップＳ３１ないしＳ３４と同様の工程であるから、説明を省略する。
【０１０２】
第２の実施の形態では、待機状態において、動作モードが遷移モードであると判定された場合（ステップＳ４４においてＹｅｓ）の処理が、第１の実施の形態と異なっている。
【０１０３】
待機状態において、ステップＳ４４が実行され、動作モードが遷移モードであると判定された場合（ステップＳ４４においてＹｅｓ）、再生システム１ａのＣＰＵ３０は、新たな映像データ３８０（表示タイミングが未だ設定されていない映像データ３８０）の取得が完了しているか否かの判定を行う（ステップＳ４５）。ここで、新たな映像データ３８０の取得が完了していない場合は、ステップＳ４６をスキップする。
【０１０４】
一方、新たな映像データ３８０の取得が完了していた場合（ステップＳ４５においてＹｅｓ）、設定処理を実行する（ステップＳ４６）。
【０１０５】
図１１は、第２の実施の形態における設定処理を示す流れ図である。ステップＳ４６に示す設定処理が開始されると、タイミング設定部３０５は、ＣＰＵ３０によるデコードが完了し、取得が完了している映像データ３８０が最初の映像データ３８０（遷移モードになってから最初に取得された映像データ３８０）であるか否かを判定する（ステップＳ７１）。この判定は、例えば、ステップＳ７１において、時間差データ３１２の値が「０」に初期化されているか否かによって判定できる。
【０１０６】
最初の映像データ３８０である場合は、当該映像データ３８０が取得されたときに応じて臨時表示タイミングを決定し、当該臨時表示タイミングによって表示タイミングを設定する（ステップＳ７２）。すなわち、第１の実施の形態におけるステップＳ１６（図４）と同様の処理が行われる。ただし、タイミング設定部３０５は、ステップＳ７２において、放送データ３８に含まれる時間情報３８１に基づいて、当該最初の映像データ３８０についての規定表示タイミングを求め、設定した臨時表示タイミングと求めた規定表示タイミングとを演算部３０７に伝達する。
【０１０７】
次に、再生制御部３０６が、当該映像データ３８０を本体部２に転送し、本体部２のＣＰＵ２５によって当該映像データ３８０が表示部２１に表示される（ステップＳ７３）。これにより、本実施の形態においても、チャンネルが切り替えられた後の最初の映像は、デコードが完了したときに、表示部２１に表示される。
【０１０８】
一方、最初の映像データ３８０でない場合（ステップＳ７１においてＮｏ）、タイミング設定部３０５は、当該映像データ３８０に対応する時間情報３８１（ＰＴＳ）に基づいて、当該映像データ３８０の規定表示タイミングを求める。そして、時間差データ３１２を参照して、求めた規定表示タイミングよりも時間差データ３１２の値を１／２した値だけ小さい値を、臨時表示タイミングとして決定し、当該臨時表示タイミングにより表示タイミングを設定する（ステップＳ７４）。
【０１０９】
ステップＳ７３またはステップＳ７４が実行されると、演算部３０７が、臨時表示タイミングと規定表示タイミングとの時間差を演算して、時間差データ３１２の値を更新する（ステップＳ７５）。
【０１１０】
次に、モード設定部３０４が、時間差データ３１２を参照して、時間差データ３１２に示される時間差が閾値以下となっているか否かを判定し（ステップＳ７６）、時間差が閾値よりも大きい場合は動作モードを通常モードに変更することなく、設定処理を終了する。一方、時間差が閾値以下となっている場合（ステップＳ７６においてＹｅｓ）、モード設定部３０４は動作モードを通常モードに設定し（ステップＳ７７）、演算部３０７が時間差データ３１２を初期化（ステップＳ７８）してから、設定処理を終了する。
【０１１１】
図９に戻って、設定処理を終了するか、または、ステップＳ４５においてＮｏと判定されると、再生制御部３０６が表示タイミングデータ３１１を参照して、表示タイミングが到来しているか否かを判定し（ステップＳ４７）、表示タイミングが到来している場合は、映像データ３８０を本体部２に転送する。これにより、本体部２の表示部２１に当該映像データ３８０が表示される。一方、表示タイミングが到来していない場合は、そのまま待機状態に戻る。
【０１１２】
図１２は、第２の実施の形態における再生システム１ａにおいて、切り替え先のチャンネルの番組の映像が表示されるタイミングを概念的に示す図である。
【０１１３】
図１２に示す例では、図７に示す例と同様に、最初の映像はタイマー値が「１２」のときに表示される。この最初の映像の規定表示タイミングは「２０」であるから、このときの時間差は「８」となる。そして、次の映像（規定表示タイミングは「４０」）は、規定表示タイミング「４０」より時間差「８」を１／２した値「４」だけ小さい値「３６」が臨時表示タイミングとなる。したがって、図１２に示すように、２つ目の映像は、タイマー値が「３６」となったときに表示される。また、このときの時間差は「４」となる。
【０１１４】
図１２に示す例を図７に示す例と比較すれば明らかなように、第２の実施の形態では、最初の映像を表示した後も遷移モードが継続されるため、その後の映像についても、規定表示タイミングよりは早い臨時表示タイミングで表示される。すなわち、本実施の形態では、遷移モードにおいて取得された映像データ３８０は、最初の映像データ３８０でなければデコードの完了とともに直ちに表示されることはないが、規定表示タイミングよりは早いタイミングで表示される。
【０１１５】
このように、第２の実施の形態における再生システム１ａについも、第１の実施の形態における再生システム１と同様の効果を得ることができる。
【０１１６】
また、再生システム１ａは、演算部３０７によって演算される時間差が徐々に小さくなる（本実施の形態では１／２ずつ小さくなる）ように、タイミング設定部３０５が臨時表示タイミングを決定する。そして、最終的には時間差が閾値以下となったときに通常モードに戻る（規定表示タイミングで表示させる処理に戻る）ため、通常モードに戻ったときの違和感を抑制できる。
【０１１７】
＜３．  変形例＞
以上、本発明の実施の形態について説明してきたが、本発明は上記実施の形態に限定されるものではなく様々な変形が可能である。
【０１１８】
例えば、上記に示した各工程は、あくまでも例示であって、同様の効果が得られるならば、その内容や順序が適宜変更されてもよい。
【０１１９】
また、ＣＰＵ２５やＣＰＵ３０がプログラム２７やプログラム３６に従って動作することにより実現されると説明した機能の一部または全部を専用の論理回路によって実現してもよいし、ハードウェアによって実現されると説明した機能の一部または全部をソフトウェア処理で実現するように構成してもよい。
【０１２０】
また、第２の実施の形態では、取得した映像データ３８０の表示タイミングを設定するにあたって、直前に取得した映像データ３８０についての時間差を１／２することにより、規定表示タイミングとの誤差（どれだけ早めに表示するか）を決定したが、この誤差の演算方法はこれに限定されるものではない。例えば、１／３であってもよいし、その他の演算方法が採用されてもよい。ただし、誤差が徐々に減少するように演算することが好ましい。
【０１２１】
また、上記実施の形態における再生システム１，１ａは、モジュール３を本体部２に着脱することのできる構造を採用していたが、一体型の装置であってもよい。
【０１２２】
また、上記実施の形態における受信システム１，１ａは、本発明の効果が顕著な携帯型のシステムとして説明した。しかしながら、本発明は携帯型のシステムに限定されるものではなく、据え置き型のシステムにおいても効果を発揮するものである。
【符号の説明】
【０１２３】
１，１ａ  再生システム
２  本体部
２０  入力部
２１  表示部
２２  音声再生部
２３  制御部
２４  スロット部
２５，３０  ＣＰＵ
２６，３１  記憶装置
２７，３６  プログラム
２８  チャンネル情報
３  モジュール
３００  チャンネル設定部
３０１，３０４  モード設定部
３０２，３０５  タイミング設定部
３０３，３０６  再生制御部
３０７  演算部
３１０  モードデータ
３１１  表示タイミングデータ
３１２  時間差データ
３２  アンテナ
３３  チューナー
３４  ＯＦＤＭ復調器
３７  周波数データ
３８  放送データ
３８０  映像データ
３８１  時間情報
９  放送局
【図１】
2010206257.tif 000003
【図２】
2010206257.tif 000004
【図３】
2010206257.tif 000005
【図４】
2010206257.tif 000006
【図５】
2010206257.tif 000007
【図６】
2010206257.tif 000008
【図７】
2010206257.tif 000009
【図８】
2010206257.tif 000010
【図９】
2010206257.tif 000011
【図１０】
2010206257.tif 000012
【図１１】
2010206257.tif 000013
【図１２】
2010206257.tif 000014